【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】
ネットワークに接続されたショップ側のコンピュータに管理される記録装置により構成され、ユーザーがネットワークを介して購入又はその注文が可能な商品の匂いに関するデータを記録しておくための商品匂いデータ記録手段と、
ネットワークに接続されたショップ側のコンピュータもしくはネットワークに接続されたセンター側のコンピュータにより管理される記録装置又はユーザー端末に内蔵もしくは接続された記録装置により構成され、ユーザーの商品の匂いの好みに関するデータを記録しておくためのユーザー嗜好データ記録手段と、
ネットワークに接続されたショップ側のコンピュータもしくはネットワークに接続されたセンター側のコンピュータ又はユーザー端末により構成され、ユーザーが選択した商品について、前記商品匂いデータ記録手段からの匂いデータと前記ユーザー嗜好データ記録手段からのユーザー嗜好データとに基づいて、前記選択された商品の匂いがユーザーの好み又は好みの傾向と合うかどうかを判定するための判定手段と、
ユーザー端末により構成され、前記判定手段による判定結果をユーザー側に出力するための判定結果出力手段と、
を備えたことを特徴とする仮想試匂システム。
【請求項２】
ネットワークに接続されたショップ側のコンピュータにより構成され、ユーザーがネットワークを介して購入又はその注文が可能な商品の画像データをユーザー側に提供するための商品画像提供手段と、
ユーザー端末により構成され、前記商品画像提供手段からの商品画像をユーザー側で表示するための商品画像表示手段と、
ネットワークに接続されたショップ側のコンピュータにより管理される記録装置又はユーザー端末に内蔵もしくは接続された記録装置により構成され、前記商品画像提供手段により画像が提供される商品の匂いに関するデータを記録しておくための商品匂いデータ記録手段と、
ネットワークに接続されたショップ側のコンピュータもしくはネットワークに接続されたセンター側のコンピュータにより管理される記録装置又はユーザー端末に内蔵もしくは接続された記録装置により構成され、ユーザーの商品の匂いの好みに関するデータを記録しておくためのユーザー嗜好データ記録手段と、
ネットワークに接続されたショップ側のコンピュータもしくはネットワークに接続されたセンター側のコンピュータ又はユーザー端末により構成され、前記商品画像表示手段により画面に表示される一つ又は複数の商品の中の或る商品をユーザーが選択したとき、その選択された商品について、前記商品匂いデータ記録手段からの匂いデータと前記ユーザー嗜好データ記録手段からのユーザー嗜好データとに基づいて、前記選択された商品の匂いがユーザーの好み又は好みの傾向と合うかどうかを判定するための判定手段と、
ユーザー端末により構成され、前記判定手段による判定結果をユーザー側に出力するための判定結果出力手段と、
を備えたことを特徴とする仮想試匂システム。
【請求項３】
ユーザーがネットワークを介して購入又はその注文が可能な商品の匂いに関するデータを記録しておくための商品匂いデータ記録手段と、
ユーザーの商品の匂いの好みに関するデータを記録しておくためのユーザー嗜好データ記録手段と、
ユーザーが選択した商品について、前記商品匂いデータ記録手段からの匂いデータと前記ユーザー嗜好データ記録手段からのユーザー嗜好データとに基づいて、前記選択された商品の匂いがユーザーの好み又は好みの傾向と合うかどうかを判定するための判定手段と、
前記判定手段による判定結果をネットワークを介してユーザー側に送信するための判定結果送信手段と、
を備えたことを特徴とする仮想試匂システム。
【請求項４】
ユーザーがネットワークを介して購入又はその注文が可能な商品の画像データを、前記商品画像をユーザー側で表示できるように、ユーザー側に提供するための商品画像提供手段と、
前記商品画像提供手段により画像が提供される商品の匂いに関するデータを記録しておくための商品匂いデータ記録手段と、
ユーザーの商品の匂いの好みに関するデータを記録しておくためのユーザー嗜好データ記録手段と、
前記商品画像提供手段によりユーザー側に画像が提供された一つ又は複数の商品の中の或る商品をユーザーが選択したとき、その選択された商品について、前記商品匂いデータ記録手段からの匂いデータと前記ユーザー嗜好データ記録手段からのユーザー嗜好データとに基づいて、前記選択された商品の匂いがユーザーの好み又は好みの傾向と合うかどうかを判定するための判定手段と、
前記判定手段による判定結果をネットワークを介してユーザー側に送信するための判定結果送信手段と、
を備えたことを特徴とする仮想試匂システム。
【請求項５】
ショップ側のネットワークに接続されたコンピュータにより管理される記録装置により構成され、ユーザーがネットワークを介して購入又はその注文が可能な商品の匂いに関するデータを記録しておくための商品匂いデータ記録手段と、
ネットワークに接続されたショップ側のコンピュータもしくはネットワークに接続されたセンター側のコンピュータにより管理される記録装置により構成され又はユーザー端末に内蔵もしくは接続された記録装置により構成され、ユーザーの商品の匂いの好みに関するデータを記録しておくためのユーザー嗜好データ記録手段と、
ネットワークを介して購入又はその注文が可能な一つ又は複数の商品の中からユーザーが或る商品を選択するための選択手段と、
前記選択手段によりユーザーが選択した商品についての、前記商品匂いデータ記録手段からの匂いデータと前記ユーザー嗜好データ記録手段からのユーザー嗜好データとに基づく、前記選択された商品の匂いがユーザーの好み又は好みの傾向と合うかどうかの判定結果を、ネットワークを介して受信するための判定結果受信手段と、
前記判定結果受信手段により受信された判定結果を出力するための判定結果出力手段と、
を備えたことを特徴とする仮想試匂システム。
【請求項６】
ショップ側のネットワークに接続されたコンピュータに管理される記録装置により構成され、ユーザーがネットワークを介して購入又はその注文が可能な商品の匂いに関するデータを記録しておくための商品匂いデータ記録手段と、
ネットワークに接続されたショップ側のコンピュータもしくはネットワークに接続されたセンター側のコンピュータにより管理される記録装置により構成され又はユーザー端末に内蔵もしくは接続された記録装置により構成され、ユーザーの商品の匂いの好みに関するデータを記録しておくためのユーザー嗜好データ記録手段と、
ユーザーがネットワークを介して購入又はその注文が可能な商品の画像データを、ショップ側のコンピュータから、ネットワークを介して受信するための商品画像受信手段と、
前記商品画像受信手段により受信した商品画像をユーザー側で表示するための商品画像表示手段と、
前記商品画像表示手段により画面に表示される一つ又は複数の商品の中の或る商品をユーザーが選択したとき、その選択された商品についての、前記商品匂いデータ記録手段からの匂いデータと前記ユーザー嗜好データ記録手段からのユーザー嗜好データとに基づく、前記選択された商品の匂いがユーザーの好み又は好みの傾向と合うかどうかの判定結果を、ネットワークを介して受信するための判定結果受信手段と、
前記判定結果受信手段により受信された判定結果を出力するための判定結果出力手段と、
を備えたことを特徴とする仮想試匂システム。